(57)【要約】【課題】取り込んだ虫が容易に逃げることができず確実に捕獲することを可能にする虫取り器具を提供する。【解決手段】本発明の虫取り器具において、虫取り網３は、単なる袋状の網ではなく、平面状の網部材Ａ，Ｂを重ね合わせたもので構成され、虫取り網の内部に（網部材Ａ，Ｂの間に）虫を閉じ込めるための閉じ込め領域９を具備している。この閉じ込め領域９は、虫取り器具を捕獲対象（虫）に向けて振り回している状態では、網部材Ａ，Ｂが相互に離れて、閉じ込め領域９への虫の進入を許容する。一方、虫取り器具の振り回しを止めた状態では、閉じ込め領域９における網部材Ａ，Ｂが相互に密着または近接して、該閉じ込め領域９に進入した虫を網内に閉じ込める。虫取り器具の製造時には、平面状の網部材Ａ，Ｂを重ね合わせ、取り込み口２を具備する平面状の袋が形成されるように、重ね合わせた網部材Ａ，Ｂの外縁を部分的に縫い合わせて虫取り網３とする。【選択図】図２
2018050490.tif 000002
【特許請求の範囲】
【請求項１】
虫が進入可能な取り込み口を有する虫取り網と、前記虫取り網を支えるフレームを有する虫取り器具であって、
前記虫取り網は、平面状の第１の網部材と平面状の第２の網部材を重ねたもので構成され、虫取り網の内部に虫を閉じ込めるための閉じ込め領域を具備しており、
前記閉じ込め領域は、
虫取り器具を振り回した状態では、該閉じ込め領域への虫の進入を許容し、かつ、
虫取り器具の振り回しを止めた状態では、閉じ込め領域における前記第１および第２の網部材が相互に密着または近接して、該閉じ込め領域に進入した虫を前記第１および第２の網部材の間に閉じ込める、ことを特徴とする虫取り器具。
【請求項２】
平面状の第１の網部材と平面状の第２の網部材を重ね合わせ、
開口可能な平面状の袋が形成されるように、重ね合わせた第１および第２の網部材の外縁を部分的に縫い合わせて虫取り網を構成し、
前記虫取り網の取り込み口が開口した状態を保つように、該虫取り網の取り込み口の側をフレームに対し固定する、ことを特徴とする虫取り器具の製造方法。
【請求項３】
平面状の第１の網部分と平面状の第２の網部分を含む平面状の網素材を折り畳んで、第１の網部分と第２の網部分を重ね合わせ、
開口可能な平面状の袋が形成されるように、重ね合わせた第１および第２の網部分の外縁を部分的に縫い合わせて虫取り網を構成し、
前記虫取り網の取り込み口が開口した状態を保つように、該虫取り網の取り込み口の側をフレームに対し固定する、ことを特徴とする虫取り器具の製造方法。
【請求項４】
平面状の第１の網部分と平面状の第２の網部分を含む平面状の網素材を折り畳んだ後、該網素材の折り目を加圧するとともに加熱する、ことを特徴とする請求項３に記載の虫取り器具の製造方法。
【発明の詳細な説明】
【技術分野】
【０００１】
本発明は、虫取り器具及びその製造方法に関するものであり、特に、蚊をはじめとする飛翔性の虫を捕獲するための器具とその製造方法に関するものである。
【背景技術】
【０００２】
飛翔性の虫は、種によっては各種の病気を媒介することが知られている。なかでも、ヒトなどから吸血する「蚊」は、蚊媒介感染症の原因として近年問題視されている。
【０００３】
蚊媒介感染症には、日本脳炎、デング熱、チクングニア熱、ウエストナイル熱、ジカウイルス感染症（ジカ熱）、黄熱、マラリアなどがある。このような感染症は、各種ウイルスを持った蚊（例えばネッタイシマカ、ヒトスジシマカなどのヤブカ類）に刺されることで感染することが知られている。
【０００４】
このような蚊媒介感染症のなかには、いまだワクチンが無いものもあり、また、蚊に刺されないようにすることが唯一の予防方法となっているものもある。そこで、蚊媒介感染症を予防する目的で、あるいは、蚊のモニタリング調査を行う目的で、いわゆる虫取り網を使用した蚊の捕獲が近年頻繁に実施されている。
【０００５】
しかしながら、従来からある虫取り網は、単なる袋状の網（例えば先細りのコーン状の網や筒状の網）を円形のフレームに縫い付けただけの単純な構造であるため、虫取り網を振り回すなどして網の中に蚊を取り込んでも、振り回すのを止めると網から蚊が容易に逃げてしまう、といった問題があった。すなわち、従来の虫取り網は、網の中に取り込んだ虫が逃げ易いため、小さくて且つ動作や素早い蚊などの捕獲には不向きである、といった致命的な問題があった。
【発明の概要】
【発明が解決しようとする課題】
【０００６】
上述した従来技術の問題点に鑑み、本発明の目的は、ひとたび虫を網の中に取り込めば容易に逃げることができず、当該虫を確実に捕獲することを可能にする、虫取り器具及びその製造方法を提供することにある。
【課題を解決するための手段】
【０００７】
上記目的は、
虫が進入可能な取り込み口を有する虫取り網と、前記虫取り網を開口した状態で支えるフレームを有する虫取り器具であって、
前記虫取り網は、平面状の第１の網部材と平面状の第２の網部材を重ね合わせたもので構成され、虫取り網の内部に（第１の網部材と第２の網部材の間に）虫を閉じ込めるための閉じ込め領域を具備しており、
前記閉じ込め領域は、
虫取り器具を振り回した状態では、該閉じ込め領域への虫の進入を許容し、かつ、
虫取り器具の振り回しを止めた状態では、閉じ込め領域における前記第１および第２の網部材が相互に密着または近接して、該閉じ込め領域に進入した虫を前記第１および第２の網部材の間に閉じ込める、ことを特徴とする虫取り器具によって達成される。
【０００８】
また上記目的は、
平面状の第１の網部材と平面状の第２の網部材を重ね合わせ、
開口可能な平面状の袋が形成されるように、重ね合わせた第１および第２の網部材の外縁を部分的に縫い合わせて虫取り網を構成し、
前記虫取り網の取り込み口が開口した状態を保つように、該虫取り網の取り込み口の側をフレームに対し固定する、ことを特徴とする虫取り器具の製造方法によって達成される。
【０００９】
また上記目的は、
平面状の第１の網部分と平面状の第２の網部分を含む平面状の網素材を折り畳んで、第１の網部分と第２の網部分を重ね合わせ、
開口可能な平面状の袋が形成されるように、重ね合わせた第１および第２の網部分の外縁を部分的に縫い合わせて虫取り網を構成し、
前記虫取り網の取り込み口が開口した状態を保つように、該虫取り網の取り込み口の側をフレームに対し固定する、ことを特徴とする虫取り器具の製造方法によって達成される。
【００１０】
なお、上記製造方法では、平面状の第１の網部分と平面状の第２の網部分を含む平面状の網素材を折り畳んだ後、該網素材の折り目を加圧するとともに加熱する、ことが好ましい。
【発明の効果】
【００１１】
本発明の虫取り器具において、虫取り網は、単なる袋状の網ではなく、平面状の第１の網部材と平面状の第２の網部材を重ね合わせたもので構成され、虫取り網の内部に（第１の網部材と第２の網部材の間に）虫を閉じ込めるための「閉じ込め領域」を具備している。
この「閉じ込め領域」は、
・虫取り器具を捕獲対象（虫）に向けて振り回している状態では、第１・第２の網部材が相互に離れて、閉じ込め領域への虫の進入を許容し、かつ、
・虫取り器具の振り回しを止めた状態では、閉じ込め領域における第１・第２の網部分が相互に密着または近接して、該閉じ込め領域に進入した虫を網内に閉じ込める、
といった機能作用を有している。
したがって、本発明の虫取り器具によれば、虫取り網の内部（具体的には閉じ込め領域）にひとたび虫を取り込めば、その後に虫が網から逃げることができず、当該虫を確実に捕獲することができる。つまり、感染症の原因となる飛翔性の虫を簡単かつ確実に捕獲できるので、蚊媒介感染症をはじめとする各種感染症の研究や予防に貢献することが可能である。
【００１２】
また、本発明の虫取り器具製造方法によれば、平面状の第１の網部材と平面状の第２の網部材を重ね合わせ、取り込み口を具備する平面状の袋が形成されるように、重ね合わせた第１および第２の網部材の外縁を部分的に縫い合わせて虫取り網を構成する。
ここでいう「平面状の袋」とは、例えばいわゆるレジ袋や折り畳み式の紙コップなどの如く、何ら外力を受けていない状態（フレームに固定されていない状態）では口を閉じて、内部に空気が入り込まず全体的に平面状の外観・形態を維持し、一方で、フレームに固定され且つ膨らむ方向の外力（風圧等）を受けている状態では口を開けて、内部に空気が入り込んで全体的に膨らみ、実質的に出し入れ自在の袋として機能するような構造を意味する。
このような「平面状の袋」構造を虫取り網に採用することで、前述した閉じ込め領域を虫取り網に持たせることができる。
【００１３】
なお、上述した「平面状の袋」構造は、平面状の第１の網部分と平面状の第２の網部分を含む平面状の網素材を折り畳んで、第１の網部分と平面状の第２の網部分を重ね合わせ、重ね合わせた第１および第２の網部材の外縁を部分的に縫い合わせることによっても形成することができる。
【００１４】
また、本発明の虫取り器具製造方法では、平面状の第１の網部分と平面状の第２の網部分を含む平面状の網素材を折り畳んだ後、該網素材の折り目を加圧するとともに加熱するようになっている。このように折り畳むことで、その部分についての縫合作業を省略することができる。また、網素材の折り目をアイロン等で加圧・加熱することで、折り畳んだ状態が形状記憶され（つまり折り目が消失しないように該折り目が塑性変形し）、「平面状の袋」構造が維持されるようになる。
【図面の簡単な説明】
【００１５】
【図１】本発明に係る虫取り器具を示す斜視図である。
【図２】本発明に係る虫取り器具の製造方法の第１実施形態を示す工程図である。
【図３】本発明に係る虫取り器具の製造方法の第２実施形態を示す工程図である。
【図４】虫取り器具が具備する把手付きフレームの外観を示す平面図である。
【図５Ａ】本発明に係る虫取り器具の機能・作用を示す図である。
【図５Ｂ】本発明に係る虫取り器具の機能・作用を示す図である。
【発明を実施するための形態】
【００１６】
（虫取り器具の構成）
はじめに、本発明の「虫取り器具」の構成について説明する。
【００１７】
本発明に係る虫取り器具は、蚊をはじめとする飛翔性の虫を捕獲する際に用いる器具であって、図１に示すように、主として、
・蚊などの飛翔性の虫が進入可能な取り込み口２（虫進入口）を有する虫取り網３と、
・虫取り網３を支えるとともに取り込み口２が開口した状態に保持するフレーム５と、
・フレーム５に固定された把手７（柄）を
有している。
【００１８】
把手７（柄）は、虫取り器具を捕獲対象（蚊など）に向けて振り回す際などに、利用者の手で掴むことができるように構成されている。
【００１９】
虫取り網３は、平面状の第１の網部材と平面状の第２の網部材を重ね合わせたもので構成され、虫取り網３の内部に虫を閉じ込めるための閉じ込め領域９を内側に具備している。
【００２０】
虫取り網３が具備する閉じ込め領域９は、把手７を掴んで虫取り器具を振り回した状態では、図５（ｂ）に示すように、虫取り網３の中に入り込む空気（風圧）によって該網が全体的に膨らみ、その結果、閉じ込め領域９への虫の進入を許容する。
一方、虫取り器具の振り回しを止めた状態では、図５（ａ）に示すように、閉じ込め領域９における網部分（向かい合う網部材）が相互に密着または密着寸前の状態に近接して、該閉じ込め領域に進入した虫を網の間に挟み込んで閉じ込める。
【００２１】
（虫取り器具の製造方法の第１実施形態）
次に上述した虫取り器具の製造方法の第１実施形態について説明する。
【００２２】
虫取り器具製造方法の第１実施形態を図２に示す。
以下、図２に示す工程（ａ）（ｂ）（ｃ）（ｄ）について順に説明する。
【００２３】
工程（ａ）：
工程ａでは、平面状の２枚の網部材Ａ，Ｂを用意する。本実施形態では、網部材Ａ，Ｂとして同一形状のものを使用する。また、本実施形態では、網部材Ａ，Ｂとして平面視台形の部材を使用するが、三角形であってもよい。網部材Ａ，Ｂの素材は特に限定されないが、柔らかいシート状のものが好ましく、たとえば樹脂製（合成樹脂製）のものを使うことができる。網部材の網目サイズは、飛翔性の虫（特に蚊などの小型の虫）が通り抜けできない程度の網目サイズであることが好ましい。
【００２４】
工程（ｂ）：
平面状の２枚の網部材Ａ，Ｂの向きを揃えて、上下方向でぴったりと重ね合わせる。
【００２５】
工程（ｃ）：
開口可能な平面状の袋（容器）が構成されるように、重ね合わせた２枚の網部材Ａ，Ｂを縫い合わせる。すなわち、取り込み口２となる部分を除いて、重ね合わせた２枚の網部材Ａ，Ｂを外縁（エッジ部）に沿って縫い合わせる。このように重ね合わせた２枚の網部材Ａ，Ｂを部分的に縫い合わせることで、開口可能な平面状の袋構造となり、取り込み口２を具備する虫取り網３が形成される。
なお、網部材Ａ，Ｂの縫い方は特に限定されないが、重ね合わせた網部材Ａ，Ｂが平面状態を維持するように（網部材Ａ，Ｂが全面的にぴったりと重なった状態を維持するように）、網部材Ａ，Ｂを縫い合わせることが好ましい。すなわち、縫合によって虫取り網３が膨らむ方向の外力を受けないように（重なっている網部材Ａ，Ｂが離れる方向の外力を受けないように）、網部材Ａ，Ｂを外縁部に沿って互いに縫い合わせることが好ましい。このように縫い合わせることで、虫取り器具が具備する閉じ込め領域９が（虫取り器具を振り回していないときに）確実に機能するようになる。
【００２６】
工程（ｄ）：
最後に、虫取り網３の取り込み口２の側をフレーム５に対し縫い付けて固定する。図２（ｄ）に示すように虫取り網３をフレーム５に縫い付けることで、虫取り網３が開口した状態で（取り込み口２が開口した状態で）フレーム５によって保持される。
【００２７】
なお、本実施形態では、図４に示すように、把手７が付いた平面視楕円形のフレーム５を利用する。このような把手付きのフレーム５は、例えば、針金やプラスチック部材を利用して構成することができる。フレーム５の平面視形状は、図４に示すような楕円形に限定されず、例えば円形、多角形などの形状を採用することも可能である。なお、取り込み口２が適度な大きさに開口し、かつ、閉じ込め領域９が確実に確保される、という意味では、フレーム５の平面視形状は例えば楕円形が好ましい。
【００２８】
図２（ｄ）に示すように、虫取り網３をフレーム５に縫い付けることで、虫取り網３の取り込み口２が開口した状態を保持する。なお、取り込み口２及びその近傍では、フレーム５による押し広げ作用（取り込み口２を開口させる作用）によって、網部材Ａ，Ｂの一部は互いに離隔しているが、虫取り網３の奥の方にある閉じ込め領域９では、フレーム５による引っ張り作用（取り込み口２を開口させる作用）は及ばず、網部材Ａ，Ｂは互いに密着または密着寸前の近接状態にある。すなわち、図２（ｄ）に示す状態において、閉じ込め領域９では、網部材Ａ，Ｂは互いに密着または近接している。
【００２９】
（虫取り器具の製造方法の第２実施形態）
次に上述した虫取り器具の製造方法の第２実施形態について説明する。
【００３０】
虫取り器具製造方法の第２実施形態を図３に示す。
以下、図３に示す工程（ａ）（ｂ）（ｃ）（ｄ）について順に説明する。
【００３１】
工程（ａ）：
工程ａでは、平面状の網部分Ａ（第１の網部分）と、平面状の網部分Ｂ（第２の網部分）を含む平面状の網素材Ｃを用意する。本実施形態では、網素材Ｃとして、同一形状の網部分Ａ，Ｂからなるものを使用する。また、本実施形態では、網部分Ａ，Ｂとして平面視台形の形状を採用するが、三角形であってもよい。網素材Ｃの素材は特に限定されないが、柔らかいシート状のものが好ましく、たとえば樹脂製（合成樹脂製）のものを使うことができる。網部分の網目サイズは、飛翔性の虫（特に蚊などの小型の虫）が通り抜けできない程度の網目サイズであることが好ましい。
【００３２】
工程（ｂ）：
網部分Ａ，Ｂの境目を折り目にして網素材Ｃを折り畳むとともに、網部分Ａ，Ｂの向きを揃えて、網部分Ａ，Ｂを上下方向でぴったりと重ね合わせる。なお、網素材Ｃを折り畳んだ後、その折り目（網部分Ａ，Ｂの境目）をアイロン等で加圧するとともに加熱することが好ましい。これにより、網素材Ｃの折り目が塑性変形（熱変形による形状記憶が発生）するので、当該折り目が経時的に消失することがない。
【００３３】
工程（ｃ）：
開口可能な平面状の袋（容器）が構成されるように、重ね合わせた網部分Ａ，Ｂを縫い合わせる。すなわち、取り込み口２となる部分と折り目を除いて、重ね合わせた網部分Ａ，Ｂを外縁（エッジ部）に沿って縫い合わせる。このように重ね合わせた網部分Ａ，Ｂを部分的に縫い合わせることで、開口可能な平面状の袋構造となり、取り込み口２を具備する虫取り網３が形成される。
なお、網部分Ａ，Ｂの縫い方は特に限定されないが、重ね合わせた網部分Ａ，Ｂが平面状態を維持するように（網部分Ａ，Ｂが全面的にぴったりと重なった状態を維持するように）、網部分Ａ，Ｂを縫い合わせることが好ましい。すなわち、縫合によって虫取り網３が膨らむ方向の外力を受けないように（重なっている網部分Ａ，Ｂが離れる方向の外力を受けないように）、網部分Ａ，Ｂを外縁部に沿って互いに縫い合わせることが好ましい。このように縫い合わせることで、虫取り器具が具備する閉じ込め領域９が（虫取り器具を振り回していないときに）確実に機能するようになる。
【００３４】
工程（ｄ）：
最後に、虫取り網３の取り込み口２の側をフレーム５に対し縫い付けて固定する。図３（ｄ）に示すように虫取り網３をフレーム５に縫い付けることで、虫取り網３が開口した状態で（取り込み口２が開口した状態で）フレーム５によって保持される。
【００３５】
図３（ｄ）に示すように、虫取り網３をフレーム５に縫い付けることで、虫取り網３の取り込み口２が開口した状態を保持する。なお、取り込み口２及びその近傍では、フレーム５による押し広げ作用（取り込み口２を開口させる作用）によって、網部分Ａ，Ｂの一部は互いに離隔しているが、虫取り網３の奥の方にある閉じ込め領域９では、フレーム５による押し広げ作用（取り込み口２を開口させる作用）は及ばず、網部分Ａ，Ｂは互いに密着または密着寸前の近接状態にある。すなわち、図３（ｄ）に示す状態において、閉じ込め領域９では、網部分Ａ，Ｂは互いに密着または近接している。
【００３６】
（虫取り器具の機能・作用）
次に、前述した方法により製造した虫取り器具の機能・作用について説明する。
図５Ａ、図５Ｂは、虫取り器具の機能・作用を概略的に示している。
図５Ａ、図５Ｂを、単に図５と略称する。
【００３７】
虫取り器具を使ってない状態では（虫取り器具を振り回すなどしていない状態では）、図５（ａ）に示すように、閉じ込め領域９における網部分（閉じ込め領域９における網部分Ａ，Ｂ）が相互に密着または近接している。すなわち、閉じ込め領域９では、網部分Ａ，Ｂが相互に密着または近接して、当該閉じ込め領域９において平面状の外観を保持している。
【００３８】
一方、虫取り器具を振り回した状態では、図５（ｂ）に示すように、取り込み口２から空気が入り込み、そのときの風圧によって閉じ込め領域９における網部分Ａ，Ｂが相互に離れて、虫取り網３の全体が膨らんで、その網内に虫が進入可能なスペースを形成する。すなわち、虫取り器具を振り回した状態では、虫取り網３の全体が風圧によって膨らむため、閉じ込め領域９への虫の進入が許容される。
【００３９】
そして、虫取り器具の振り回しを止めると、虫取り網３の全体を膨らませていた風圧が作用しなくなり、再び図５（ａ）に示すように、振り回す前のもとの形状・形態に復帰し、閉じ込め領域９における網部分Ａ，Ｂが相互に密着または近接する。その結果、図５（ｂ）に示す状態のときに閉じ込め領域９に進入した虫が、網部分Ａ，Ｂの間に挟まれた状態で網内に閉じ込められる。
【符号の説明】
【００４０】
２      取り込み口（虫進入口）
３      虫取り網
５      フレーム
７      把手（柄）
９      閉じ込め領域（密着可能領域）
１２    折り目
１４    ポケット（折り畳み部）
Ａ      網部材，網部分（第１の網部材，第１の網部分）
Ｂ      網部材，網部分（第２の網部材，第１の網部分）
Ｃ      網素材
【図１】
2018050490.tif 000003
【図２】
2018050490.tif 000004
【図３】
2018050490.tif 000005
【図４】
2018050490.tif 000006
【図５Ａ】
2018050490.tif 000007
【図５Ｂ】
2018050490.tif 000008